(57)【要約】【課題】パソコン操作を必要とせずに、ウェブ上のデータを更新する手段を提供すること。【解決手段】パソコン、又は携帯電話などのメール機能を利用し、ユーザが送信したメールを受信、及び解析することにより、テキスト文、画像、動画などの情報を、ウェブ上のデータに追加、又は更新することができる。【選択図】      図１
2004362522.tif 000002
【特許請求の範囲】
【請求項１】
インターネット上のメールを受信するサーバと、ウェブ掲載サーバが同一サーバである場合に、ウェブデータを更新する方法において、
前記サーバが、インターネット上のメール送信機能を有する通信機器より送信されたメールを受信し、送信者などの正当性を判別する受信工程と、
前記受信工程で、受信したメール内容を、ウェブ更新個所を指定されたテンプレートファイルに静的に書き込むことにより、ウェブ更新データを作成するウェブ作成工程と、
前記データ作成工程で作成されたウェブデータを基にウェブ構成ファイルを更新するファイル更新工程を備えたことを特徴とするウェブ更新方法。
【請求項２】
請求項１に記載のウェブ更新方法において、
前記サーバで受信するメールが、画像、動画、音声などのテキスト文以外のデータを含む場合に、
請求項１に記載の受信工程の後、テキスト文以外のデータを切り出し、その種類を判別する判別工程と、
前期判別工程で判別したデータ属性に適合したデータを作成するデータ作成工程と
前期ウェブ作成工程の中で、更に前記データ作成工程で作成されたデータへのリンク情報を追加、又は更新する、リンク付加ウェブ作成工程を更に備えたことを特徴とするウェブ更新方法。
【請求項３】
請求項１又は２に記載のウェブ更新方法において、
受信したメール内容、及び、その内容に従って作成したウェブ更新内容を保存する、履歴保存工程を更に備えたことを特徴とするウェブ更新方法。
【請求項４】
請求項３に記載のウェブ更新方法において、
更に、前記サーバで受信するメール内に、複数データ中の更新個所指定、追加・削除・入替などの更新方法の指定を含むメールを受信する場合において、
前記更新指定内容を解読する更新指定解読工程と、
前記更新指定解読工程で解読された更新指定に従い、ウェブを更新するウェブ指定更新工程を更に備えたことを特徴とするウェブ更新方法
【請求項５】
請求項１から４のいずれかに記載のウェブ更新方法において、
前記メール受信サーバと、前記ウェブ掲載サーバが異なる場合に、
ファイル更新工程において、異なるサーバに更新ファイルを送信する、ファイル送信工程を更に備えたことを特徴とするウェブ更新方法。
【発明の詳細な説明】
【０００１】
【発明の属する技術分野】
本発明は、メール送受信及びウェブ更新システムに関し、より詳しくは、インターネットを介したメール送受信によりウェブのデータを更新するシステムに関する。
【０００２】
【従来の技術】
インターネットが普及し、ウェブが誕生して依頼、当初は、テキストエディタなどにより、ウェブ構成文法に従ってウェブを作成していたが、専門知識を必要としたため、ウェブの更新作業はごく一部の専門家に限られていた。その後、簡単にウェブが作成できるソフトが開発された為、そのソフトの使用方法を理解すれば、比較的容易にウェブの更新ができるようになった。さらに最近では、専用ソフトの使用方法を習得しなくても、あるいは専用ソフトを購入しなくても、ブラウザ画面上で文字入力や、画像などのファイル選択を行うだけでウェブが更新できるサーバ上のシステムが開発されている。
【０００３】
【発明が解決しようとする課題】
大半のウェブ更新方法である、パソコン上のソフトを使用したウェブ更新はもちろん、ブラウザ画面上で文字入力など簡単な操作のみで更新できるシステムでさえ、パソコン操作に慣れない一般ユーザにとっては、その作業は困難であり敷居が高いものである。
【０００４】
また、仮にウェブ更新作業を行う能力があるとしても、専用のパソコンを持たない、あるいはパソコンと向き合ってじっくり作業をする時間を持てない人が多く、そういった一般ユーザにとって、ウェブの更新作業はなかなか容易ではない。
【０００５】
一方、携帯電話が普及し、ごく一般のユーザが簡単にメール更新ができるようになり、更にカメラなどの機能付き携帯電話の普及により、画像、動画などのデータを携帯電話で作り出すこと、又そのデータをメールで送信することが、誰でも容易にできるようになり、一般ユーザにとりパソコンよりむしろ携帯電話の方が身近なインターネット接続機器となりつつある。
【０００６】
携帯電話の普及とともに、ブラウザ画面上よりウェブを簡単に更新するシステムについては、携帯電話でも利用できるシステムが開発された。つまりユーザは携帯用ウェブ画面から操作することになる。しかしながら、携帯電話の利用者の多くは、メールを使用するのみであり、携帯用ウェブの閲覧の仕方もわからないユーザには敷居が高いものである。更には、ウェブ接続のための料金がかかることが利用者にとって高い負担となっている。
【０００７】
更に、ブラウザ画面上よりウェブを簡単に更新するシステムで作成されたウェブは、ＣＧＩなどのプログラムにより更新したデータを動的に表示されるものであり、従って、サーバと接続されない状態ではウェブを表示することができない。つまり、営業などでパソコンだけで表示させることはできない。更には、ｈｔｍｌファイル内にその内容の記述がないため、全文検索エンジンでその内容が検索されることは極めて困難である。
【０００８】
本発明の目的は、身近な携帯電話の、しかも一般ユーザが使い慣れ、なおかつ利用料金が低額なメール送信を利用して、専門知識を要せず、どこでも簡易にウェブを更新できるシステムを提供することにある。
【０００９】
また、本発明の他の目的は、携帯電話やパソコンその他通信機器のメール送信を利用して、災害時などの非常時にも簡単にウェブの情報を更新できるシステムを提供することにある。
【００１０】
また、本発明の他の目的は、簡単に瞬時に更新されるウェブの内容を、全文検索エンジンの検索でマッチさせ、又、ウェブのファイルの更新日付を最新のものにすることにより、多くの一般ユーザに閲覧させることにある。
【００１１】
また、本発明の他の目的は、本発明により更新されたウェブを、サーバよりダウンロードさせたものを、インターネットに接続しないオフライン状態で表示させ、最新の更新ページを営業その他に活用させることにある。
【００１２】
【課題を解決するための手段】
本発明では、インターネット上のメールを受信するサーバと、ウェブ掲載サーバが存在する状態における、ウェブデータを更新する方法において、前記メール受信サーバが、インターネット上のメール送信機能を有する通信機器より送信されたメールを受信し、送信者などの正当性を判別する受信工程と、前記受信工程で、受信したメール内容を、ウェブ更新個所を指定したテンプレートファイルに書き込むことにより、ウェブの更新データを作成するウェブ作成工程と、前記ウェブ作成工程で作成されたウェブデータを基にウェブ構成ファイルを更新する、ファイル更新工程を備えたことを特徴とするウェブ更新方法が提供される。
【００１３】
本発明にかかるウェブ更新方法によれば、送信されたメール内容に基づき、ウェブの内容を更新する。従って、ユーザは携帯電話又はパソコンなどのメール機能を有する通信機器よりメールを送信するだけで、ウェブの内容を追加、更新することができる。
【００１４】
また、本発明のウェブ更新方法において、前記受信工程の後、テキスト文以外のデータを判別する判別工程と、前期判別工程で判別したデータ属性に適合したデータを作成するデータ作成工程と、前期データ作成工程で作成されたデータへのリンク情報を追加、又は更新する、リンク付加ウェブ作成工程を更に備えていてもよい。
【００１５】
本発明のウェブ更新方法が上記判別工程とリンク付加ウェブ作成工程を更に備えることによって、ユーザはテキスト文だけでなく、静止画像や、動画、音声などのデータをメールで送信し、それらのテキスト文以外のデータをウェブ更新データとして扱うことができる。
【００１６】
本発明のウェブ更新方法において、ウェブの更新個所の指定や、追加・削除・入替などの更新方法の指定を解析する更新指定解析工程を更に備えていてもよい。これにより、ユーザは、ウェブに複数の更新データを混在させたページを自由に更新することが可能となる。
【００１７】
また、本発明のウェブ更新方法において、ウェブ更新データを、別のサーバに送信するファイル送信工程を更に備えていても良い。これにより、メールを受信するサーバとウェブ掲載サーバを別のものとすることができ、ユーザは既存のウェブについてその掲載するサーバを変更することなく、又そのウェブのアドレスを変更することなく、メール送信により、既存ウェブを更新することが可能となる。
【００１８】
また、本発明のウェブ更新方法において、更新されるウェブの内容は、通常のＨＴＭＬ構文のテキスト文で記述される。これにより、更新内容は各種全文検索の検索エンジンによりマッチされ、多くの一般ユーザにウェブに訪問させることが可能となる。又、これにより、サーバよりダウンロードさせたウェブを、インターネットに接続されないオフライン環境でも表示することが可能となる。
【００１９】
また、本発明にかかるプログラムでは、上記の本発明にかかるウェブ更新方法をコンピュータに実行させるためのプログラムが提供される。
【００２０】
【発明の実施の形態】
以下、添付図面を参照して本発明の好適な実施の形態について説明する。なお、説明の理解を容易にするため、各図面において同一の構成要素に対しては可能な限り同一の参照番号を附し、重複する説明は省略する。
【００２１】
図１は、本発明の実施形態において使用されるハードウェアの構成を示す図である。メール送信機能を有する通信機器１０、５０と、メールサーバ３０、ウェブサーバ４０は、インターネット、ＬＡＮ等の通信ネットワーク２０を介して相互に通信可能である。本発明のプログラムはメールサーバ３０内に存在する。
【００２２】
通信機器１０からウェブ更新情報がメール送信される。メールサーバ３０は、これを受信、解析し、新しいウェブ構成ファイルを作成する。これをウェブサーバ４０に送信し、ウェブファイルを更新する。なお、メールサーバ３０とウェブサーバ４０は同一サーバであってもよい。
【００２３】
更新されたウェブ内容は、ブラウザ機能を有する通信機器５０より閲覧される。
【００２４】
次に、本発明にかかるウェブ更新方法について、図２のフローチャートに基づいて説明する。
【００２５】
図１のメールサーバ３０において、メール送信機能を有する通信機器１０より送信されたメールを受信すると、まず、メール送信者の正当性をチェックする。正当性チェックは、送信元のアドレスが登録されたものであるか否かをチェックする。更に、高セキュリティのため、メールにパスワードなどの認証データを含ませて、その認証チェックを行ってもよい。
【００２６】
次に、メール内容を本文と添付ファイルに分離する。本文の内容は、文字コード、及び内容をチェックし、コード変換を行う。添付ファイルがある場合は、添付ファイルの種別判定と内容チェックを行い、そのファイル属性に適したデータファイルを作成する。このデータファイルは、後にウェブ構成ファイルの一部となり、ウェブページファイル本体よりリンクされる。
【００２７】
こうして、メール受信内容に従って、ウェブ構成ファイルを作成する。ここで、受信したメール内に、件名などにおいて、更新個所や更新方法などの構文が記されている場合には、その構文を解析し、構文内容に沿ってウェブ更新がされる。
【００２８】
更新されたウェブ構成ファイルは、ウェブサーバがメール受信サーバと同一である場合には、直接対象となるウェブ構成ファイルを更新し、サーバが別である場合には、通信ネットワークを介して、ウェブ構成ファイルをウェブサーバに送信する。
【００２９】
【発明の効果】
本発明によれば、メール送信により誰でもどこからでもウェブを更新することができる。又、本発明により更新された、ウェブ更新内容は、通常のｈｔｍｌ文のみを使って記述されているので、データベースや特別なプログラムを必要とせず、そのため、更新内容は通常のブラウザで表示可能であり、更に検索エンジンの全文検索で検索可能である。
【図面の簡単な説明】
【図１】本発明の一実施形態において使用されるハードウエア構成を示す図である。
【図２】同実施形態の動作を示すフローチャートである。
【符号の説明】
１０  メール送信機能を有する通信機器
２０  通信ネットワーク
３０  メールサーバ
４０  ウェブサーバ
５０  ブラウザ機能を有する通信機器
【図１】
2004362522.tif 000003
【図２】
2004362522.tif 000004